【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】
【請求項１】  遊技者が所定の遊技を行うことが可能な遊技機であって、
遊技媒体の払出を行う払出装置と、
遊技の進行を制御するとともに、前記払出装置を制御させるための信号としての制御信号データを出力する制御信号出力処理と、制御信号データの取込を指示するための取込信号を出力する取込信号出力処理とを実行可能な遊技制御手段と、
前記遊技制御手段からの信号に応じて前記払出装置を制御可能な払出制御手段とを備え、
前記払出制御手段は、
前記払出装置の払出動作の禁止を指令する払出停止信号の入力に応じて前記払出装置の払出動作を行わない払出停止状態に制御可能であるとともに、前記払出装置から払い出すべき遊技媒体数を特定可能な遊技媒体払出数指定信号を払出停止状態であっても受信することが可能であって、
前記遊技制御手段によって出力される取込信号としての矩形波のレベル変化に応じて発生する受信割込により、前記遊技制御手段が出力した制御信号データを受信するための制御データ受信処理を実行する
ことを特徴とする遊技機。
【請求項２】  遊技制御手段は、払出のための遊技媒体が不足しているか否かを検出する遊技媒体不足検出手段が遊技媒体の不足を検出したことにもとづいて払出停止信号を出力する
請求項１記載の遊技機。
【請求項３】  遊技制御手段は、払い出された遊技媒体を貯留する貯留部の貯留遊技媒体が所定量を越えたか否かを検出する満タン検出手段が、貯留遊技媒体が所定量を越えたことを検出したことにもとづいて払出停止信号を出力する
請求項１記載の遊技機。
【請求項４】  遊技制御手段は、矩形波のオンレベル期間が経過しオフレベルとなった後でも、所定の出力維持期間中は制御信号データの出力を維持する
請求項１記載の遊技機。
【請求項５】  払出制御手段は、制御データ受信処理において、遊技制御手段から入力された制御信号データを信号格納バッファに格納する
ことを特徴とする請求項１記載の遊技機。
【請求項６】  信号格納バッファは、制御信号データを同時に複数個格納可能である
ことを特徴とする請求項５記載の遊技機。
【請求項７】  払出制御手段は、払い出すべき遊技媒体の未払出数を特定することが可能な数値を記憶するための未払出数カウンタを備え、
信号格納バッファに格納された制御信号データが示す遊技媒体払出数指定信号に応じて、前記未払出数カウンタを加算する
ことを特徴とする請求項６記載の遊技機。
【請求項８】  払出制御手段は、信号格納バッファに格納された制御信号データが示す払出停止信号に応じて、払出停止状態への制御を行う
請求項６記載の遊技機。
【手続補正２】
【補正対象書類名】明細書
【補正対象項目名】００１２
【補正方法】変更
【補正の内容】
【００１２】
【課題を解決するための手段】
本発明による遊技機は、遊技者が所定の遊技を行うことが可能な遊技機であって、遊技媒体の払出を行う払出装置と、遊技の進行を制御するとともに、払出装置を制御させるための信号（例えば、払出制御コマンド）としての制御信号データ（コマンドデータの構成は、例えばＭＯＤＥデータおよびＥＸＴデータで構成されていても、何れか一方で構成されていてもよく、また各データを複数持つものであってもよいし、例えばＭＯＤＥデータやＥＸＴデータ以外のデータから構成されるものなどのようなデータであってもよい。）を出力する制御信号出力処理と、制御信号データの取込を指示するための取込信号を出力する取込信号出力処理とを実行可能な遊技制御手段と、遊技制御手段からの信号に応じて払出装置を制御可能な払出制御手段とを備え、払出制御手段は、払出装置の払出動作の禁止を指令する払出停止信号の入力に応じて払出装置の払出動作を行わない払出停止状態に制御可能であるとともに、払出装置から払い出すべき遊技媒体数を特定可能な遊技媒体払出数指定信号を払出停止状態であっても受信することが可能であって、遊技制御手段によって出力される取込信号としての矩形波のレベル変化に応じて発生する受信割込により、遊技制御手段が出力した制御信号データを受信するための制御データ受信処理を実行することを特徴とする。
【手続補正３】
【補正対象書類名】明細書
【補正対象項目名】００１３
【補正方法】変更
【補正の内容】
【００１３】
遊技制御手段は、例えば、払出のための遊技媒体が不足しているか否かを検出する遊技媒体不足検出手段（例えば、球切れスイッチ１８７）が遊技媒体の不足を検出したことにもとづいて払出停止信号を出力する。
【手続補正４】
【補正対象書類名】明細書
【補正対象項目名】００１４
【補正方法】変更
【補正の内容】
【００１４】
遊技制御手段は、例えば、払い出された遊技媒体を貯留する貯留部の貯留遊技媒体が所定量を越えたか否かを検出する満タン検出手段（例えば、満タンスイッチ４８）が、貯留遊技媒体が所定量を越えたことを検出したことにもとづいて払出停止信号を出力する。
【手続補正５】
【補正対象書類名】明細書
【補正対象項目名】００１５
【補正方法】変更
【補正の内容】
【００１５】
遊技制御手段は、矩形波のオンレベル期間（例えばＢの期間であって、矩形波が正論理である場合にはハイレベル信号が出力される期間であり、矩形波が負論理である場合にはローレベル信号が出力される期間）が経過しオフレベル（矩形波が正論理である場合にはローレベルであり、矩形波が負論理である場合にはハイレベルを意味する）となった後でも、所定の出力維持期間中（例えばＣの期間中）は制御信号データの出力を維持するように構成されていてもよい。
【手続補正６】
【補正対象書類名】明細書
【補正対象項目名】００１６
【補正方法】変更
【補正の内容】
【００１６】
払出制御手段は、制御データ受信処理において、遊技制御手段から入力された制御信号データを信号格納バッファに格納するとしてもよい。
【手続補正７】
【補正対象書類名】明細書
【補正対象項目名】００１７
【補正方法】変更
【補正の内容】
【００１７】
信号格納バッファは、制御信号データを同時に複数個格納可能であるとしてもよい。
【手続補正８】
【補正対象書類名】明細書
【補正対象項目名】００１８
【補正方法】変更
【補正の内容】
【００１８】
払出制御手段は、払い出すべき遊技媒体の未払出数を特定することが可能な数値を記憶するための未払出数カウンタを備え、信号格納バッファに格納された制御信号データが示す遊技媒体払出数指定信号に応じて、未払出数カウンタを加算する構成としてもよい。
【手続補正９】
【補正対象書類名】明細書
【補正対象項目名】００１９
【補正方法】変更
【補正の内容】
【００１９】
払出制御手段は、信号格納バッファに格納された制御信号データが示す払出停止信号に応じて、払出停止状態への制御を行うように構成されていてもよい。
【手続補正１０】
【補正対象書類名】明細書
【補正対象項目名】０２８１
【補正方法】変更
【補正の内容】
【０２８１】
【発明の効果】
以上のように、請求項１記載の本発明によれば、遊技機を、払出制御手段が、払出装置の払出動作の禁止を指令する払出停止信号の入力に応じて払出装置の払出動作を行わない払出停止状態に制御可能であるとともに、払出装置から払い出すべき遊技媒体数を特定可能な遊技媒体払出数指定信号を払出停止状態であっても受信することが可能であって、遊技制御手段によって出力される取込信号としての矩形波のレベル変化に応じて発生する受信割込により、遊技制御手段が出力した制御信号データを受信するための制御データ受信処理を実行するような構成としたので、払出制御手段は、制御状態にかかわらず、確実に遊技制御手段からの制御信号データを受信することができるため、遊技進行に応じた制御を確実に実行することができる。この結果、制御信号データの取りこぼしによって制御状態に異常が発生することを回避することができ、このような異常の発生を考慮したシステム開発を行う必要がなくなるので、遊技機の開発が容易となる。
【手続補正１１】
【補正対象書類名】明細書
【補正対象項目名】０２８２
【補正方法】変更
【補正の内容】
【０２８２】
請求項２に記載の発明によれば、遊技制御手段が、払出のための遊技媒体が不足しているか否かを検出する遊技媒体不足検出手段が遊技媒体の不足を検出したことにもとづいて払出停止信号を出力するようにしたので、出力された払出停止信号が払出制御手段によって確実に受信されるため、払出制御手段は、遊技媒体の不足に応じて確実に払出停止状態に制御することができる。
【手続補正１２】
【補正対象書類名】明細書
【補正対象項目名】０２８３
【補正方法】変更
【補正の内容】
【０２８３】
請求項３に記載の発明によれば、遊技制御手段が、払い出された遊技媒体を貯留する貯留部の貯留遊技媒体が所定量を越えたか否かを検出する満タン検出手段が、貯留遊技媒体が所定量を越えたことを検出したことにもとづいて払出停止信号を出力するようにしたので、出力された払出停止信号が払出制御手段によって確実に受信されるため、払出制御手段は、貯留部の貯留遊技媒体が所定量を越えたことに応じて確実に払出停止状態に制御することができる。
【手続補正１３】
【補正対象書類名】明細書
【補正対象項目名】０２８４
【補正方法】変更
【補正の内容】
【０２８４】
請求項４に記載の発明によれば、遊技制御手段が、矩形波のオンレベル期間が経過しオフレベルとなった後でも、所定の出力維持期間中は制御信号データの出力を維持するようにしたので、各電気部品制御手段において、確実に制御信号データが受信されるようにすることが可能となる。
【手続補正１４】
【補正対象書類名】明細書
【補正対象項目名】０２８５
【補正方法】変更
【補正の内容】
【０２８５】
請求項５に記載の発明によれば、払出制御手段が、制御データ受信処理において、遊技制御手段から入力された制御信号データを信号格納バッファに格納するようにしたので、遊技制御手段から入力した制御信号データを確実に受信することができ、制御信号データの取りこぼしを防止することができる。
【手続補正１５】
【補正対象書類名】明細書
【補正対象項目名】０２８６
【補正方法】変更
【補正の内容】
【０２８６】
請求項６に記載の発明によれば、信号格納バッファは、制御信号データを同時に複数個格納可能であるとしたので、遊技制御手段からの各制御信号データを迅速に受信することができ、制御信号データの取りこぼしを防止することができる。
【手続補正１６】
【補正対象書類名】明細書
【補正対象項目名】０２８７
【補正方法】変更
【補正の内容】
【０２８７】
請求項７に記載の発明によれば、信号格納バッファに格納された制御信号データが示す遊技媒体払出数指定信号に応じて、未払出数カウンタを加算するとしたので、払出停止状態とされているときであっても未払出カウンタに未払出数を加算しておくことができるため、払出停止状態が解除されたあとに確実に未払出数の遊技媒体を払出すことが可能となる。
【手続補正１７】
【補正対象書類名】明細書
【補正対象項目名】０２８８
【補正方法】変更
【補正の内容】
【０２８８】
請求項８に記載の発明によれば、払出制御手段が、信号格納バッファに格納された制御信号データが示す払出停止信号に応じて、払出停止状態への制御を行うようにしたので、払出に関する各種の制御を確実に実行することが可能となる。